(57)【要約】【課題】複数のクライアントが接続されたコンテンツサーバに記憶されている録画コンテンツの取得元のクライアントが容易に識別可能な録画コンテンツ情報表示画面を生成する。【解決手段】サーバ４は、クライアント１〜３で録画されたコンテンツ及び該コンテンツの取得元のクライアントの情報を含む録画コンテンツ情報を記憶する。クライアントは、録画コンテンツ情報をリスト表示する録画コンテンツ情報表示画面を生成する。サーバ４は、クライアント毎に、クライアントの識別情報と、表示色の情報を対応付けて記憶する表示色情報記憶部４２ｂを有し、クライアントは、サーバ４の表示色情報記憶部４２ｂに対応付けて記憶された識別情報及び表示色の情報に基づいて、コンテンツの取得元のクライアント毎に色が異なる録画コンテンツ情報表示画面を生成する。【選択図】図１
2013187633.tif 000002
【特許請求の範囲】
【請求項１】
コンテンツを取得する複数のクライアントと、前記複数のコンテンツが取得したコンテンツを録画すると共に少なくとも該コンテンツの取得元のクライアントの情報を含む録画コンテンツ情報を記憶するサーバと、から成り、録画コンテンツ情報をリスト表示する録画コンテンツ情報表示画面をクライアントで生成する録画コンテンツ情報表示画面生成システムであって、
前記サーバは、前記クライアント毎に、前記クライアントの識別情報と、前記録画コンテンツ情報表示画面での表示色の情報を対応付けて記憶する表示色情報記憶部を有し、前記クライアントからの要求に応じ、記憶した前記録画コンテンツ情報並びに前記表示色情報記憶部に対応付けて記憶した前記クライアントの識別情報及び表示色の情報を送信し、
前記クライアントは、前記サーバの表示色情報記憶部に対応付けて記憶された識別情報及び表示色の情報に基づいて、前記コンテンツの取得元のコンテンツ毎に色が異なる前記録画コンテンツ情報表示画面を生成することを特徴とする録画コンテンツ情報表示画面生成システム。
【請求項２】
前記サーバと前記クライアントとは、ＤＬＮＡ（Digital Living Network Alliance）規格に準拠するネットワークを用いて接続されており、
前記ＤＬＮＡ規格を拡張した規格に基づいて、前記サーバと前記クライアントとの間の通信を行なうことを特徴とする請求項１に記載の録画コンテンツ情報表示画面生成システム。
【請求項３】
前記サーバは、前記表示色情報記憶部に対応付けて記憶した前記クライアントの識別情報及び表示色の情報を、前記クライアントに対する＜Ｂｒｏｗｓｅ＞アクションに対する＜Ｒｅｓｐｏｎｓｅ＞のタグに含めて送信することを特徴とする請求項２に記載の録画コンテンツ情報表示画面生成システム。
【請求項４】
前記録画コンテンツ情報表示画面は、前記コンテンツの取得元のクライアント毎に前記録画コンテンツ情報を示す文字の背景色が異なることを特徴とする請求項１〜３のいずれか１項に記載の録画コンテンツ情報表示画面生成システム。
【請求項５】
前記録画コンテンツ情報表示画面は、前記録画コンテンツ情報と共に表示されるマークが、前記コンテンツの取得元のクライアント毎に色が異なることを特徴とする請求項１〜３のいずれか１項に記載の録画コンテンツ情報表示画面生成システム。
【発明の詳細な説明】
【技術分野】
【０００１】
本発明は、複数のクライアントが接続されたコンテンツサーバに記憶されている録画番組などの録画コンテンツの情報をリスト表示する録画コンテンツ情報表示画面を生成する録画コンテンツ情報表示画面生成システムに関する。
【背景技術】
【０００２】
近年、ハードディスク等の記憶装置が大容量化してきており、録画番組の記憶にはこれらハードディスク等が用いられる。
これらハードディスク等に記憶されている録画番組は多数になるため、視聴に際し、ユーザが希望の録画番組を選択する必要があり、その選択が容易となるよう録画番組の情報をリスト表示する録画番組情報表示画面が用いられる。
【０００３】
特許文献１には、携帯電話機等の情報端末からの指示に基づいて番組を録画し記憶する録画装置であって、録画番組情報表示画面において、録画番組毎に、チャンネル、放送日、放送時間、番組名等と共に、録画の指示元の情報端末の端末識別情報を表示するものが開示されている。このような表示により、ユーザが上記端末識別情報に基づいて所望の番組を容易に選択できるようになっている。
【０００４】
また、データを記憶・配信する機能を持った大容量のコンテンツサーバというものが知られている。このコンテンツサーバは、複数の録画装置が接続され、例えば、ホームネットワーク（家庭内ＬＡＮ（Local Area Network））で利用されるものであり、録画されたテレビ番組を記憶したり、ユーザがホームビデオで撮影・録画した動画データなども管理できる。以下では、録画されたテレビ放送番組や、ホームビデオカメラで撮影・録画した動画などをまとめて「録画コンテンツ」などという。
【先行技術文献】
【特許文献】
【０００５】
【特許文献１】特開２０１０−２８４７６号公報
【発明の開示】
【発明が解決しようとする課題】
【０００６】
コンテンツサーバに記憶されている録画コンテンツについても、特許文献１に開示の技術と同様に、図８の録画コンテンツ情報表示画面Ｐ１００に示すように、録画コンテンツ毎に、録画日時Ｐ１０１等と共に、録画元の録画装置の装置識別情報Ｐ１０２とを対応付けてリスト表示することが考えられる。しかし、録画コンテンツ情報表示画面Ｐ１００では、該画面Ｐ１００上の録画元の録画装置の名称等が類似していた場合、ユーザが録画に用いた録画装置等の特定の録画装置を容易に識別することができないので、所望の録画コンテンツを容易に選択できない。
【０００７】
本発明は、上述のような実情を鑑みてなされたものであり、複数のクライアントが接続されたコンテンツサーバに記憶されている録画コンテンツの取得元のクライアントが容易に識別可能な録画コンテンツ情報表示画面を生成する録画コンテンツ情報表示画面生成システムを提供することをその目的とする。
【課題を解決するための手段】
【０００８】
上記課題を解決するために、本発明の第１の技術手段は、コンテンツを取得する複数のクライアントと、前記複数のコンテンツが取得したコンテンツを録画すると共に少なくとも該コンテンツの取得元のクライアントの情報を含む録画コンテンツ情報を記憶するサーバと、から成り、録画コンテンツ情報をリスト表示する録画コンテンツ情報表示画面をクライアントで生成する録画コンテンツ情報表示画面生成システムであって、前記サーバは、前記クライアント毎に、前記クライアントの識別情報と、前記録画コンテンツ情報表示画面での表示色の情報を対応付けて記憶する表示色情報記憶部を有し、前記クライアントからの要求に応じ、記憶した前記録画コンテンツ情報並びに前記表示色情報記憶部に対応付けて記憶した前記クライアントの識別情報及び表示色の情報を送信し、前記クライアントは、前記サーバの表示色情報記憶部に対応付けて記憶された識別情報及び表示色の情報に基づいて、前記コンテンツの取得元のコンテンツ毎に色が異なる前記録画コンテンツ情報表示画面を生成することを特徴としたものである。
【０００９】
本発明の第２の技術手段は、第１の技術手段において、前記サーバと前記クライアントとが、ＤＬＮＡ（Digital Living Network Alliance）規格に準拠するネットワークを用いて接続されており、前記ＤＬＮＡ規格を拡張した規格に基づいて、前記サーバと前記クライアントとの間の通信を行なうことを特徴としたものである。
【００１０】
本発明の第３の技術手段は、第２の技術手段において、前記サーバは、前記表示色情報記憶部に対応付けて記憶した前記クライアントの識別情報及び表示色の情報を、前記クライアントに対する＜Ｂｒｏｗｓｅ＞アクションに対する＜Ｒｅｓｐｏｎｓｅ＞のタグに含めて送信することを特徴としたものである。
【００１１】
本発明の第４の技術手段は、第１〜３のいずれか１の技術手段において、前記録画コンテンツ情報表示画面が、前記コンテンツの取得元のクライアント毎に前記録画コンテンツ情報を示す文字の背景色が異なることを特徴としたものである。
【００１２】
本発明の第５の技術手段は、第１〜３のいずれか１の技術手段において、前記録画コンテンツ情報表示画面が、前記録画コンテンツ情報と共に表示されるマークが、前記コンテンツの取得元のクライアント毎に色が異なることを特徴としたものである。
【発明の効果】
【００１３】
本発明では、複数のクライアントが接続されたコンテンツサーバに記憶されている録画コンテンツの取得元のクライアントが容易に識別可能な録画コンテンツ情報表示画面を生成する録画コンテンツ情報表示画面生成システムを提供することができる。
【図面の簡単な説明】
【００１４】
【図１】本発明の録画コンテンツ情報表示画面生成システムの一例を説明するブロック図である。
【図２】色識別テーブルの一例を示す図である。
【図３】図１の録画コンテンツ情報表示画面生成システムで生成する録画コンテンツ情報表示画面の一例を示す図である。
【図４】図１の録画コンテンツ情報表示画面生成システムで生成する録画コンテンツ情報表示画面の他の例を示す図である。
【図５】ユーザによる色識別テーブルの作成手順を説明するフローチャートである。
【図６】図１の録画コンテンツ情報表示画面生成システムにおいて、ＤＬＮＡ規格を拡張して、クライアントからコンテンツサーバにコンテンツの取得元のクライアントの識別情報を含む録画コンテンツ情報を送信する処理を説明するフローチャートである。
【図７】図１の録画コンテンツ情報表示画面生成システムにおいて、ＤＬＮＡ規格を拡張して、クライアントの識別情報及び該クライアントを取得元とするコンテンツの表示色情報を受信する処理を説明するフローチャートである。
【図８】従来技術を説明する図である。
【発明を実施するための最良の形態】
【００１５】
図１は、本発明の録画コンテンツ情報表示画面生成システムの一例を説明するブロック図である。このシステムは、例えば、家庭内においてネットワークに接続された機器でデジタル放送、デジタルコンテンツ等を再生、視聴するホームネットワークシステムとすることができる。なお、以下の説明では、同様な機能を有する構成部分については、同じ参照符号を付すことによりその説明を省略する。
【００１６】
図１の例の録画コンテンツ情報表示画面生成システムＸは、クライアント１〜３、コンテンツサーバ４が、ＬＡＮ（Local Area Network）５に接続されて構成されている。ＬＡＮ５への接続形態は、有線・無線を問わない。
【００１７】
ＬＡＮ５に接続されるクライアント１〜３の台数は任意であり、図の例では、３台のクライアント１〜３が接続されている。また、クライアント１やクライアント２がコンテンツサーバ４に内蔵される形態であってもよい。
【００１８】
クライアント１，２は、それぞれ異なる放送波のデジタル放送を取得・受信するチューナを内蔵したデジタル放送レコーダであり、例えば、クライアント１は地デジチューナ付きレコーダであり、クライアント３はＣＳチューナ付きレコーダである。
クライアント３は、動画を撮影して取得し録画するカメラ機能を有する機器であり、例えば、カメラ付き携帯電話である。
コンテンツサーバ４は、クライアント１〜３を介して取得されたコンテンツを記憶し、再生装置等に配信する機能を有する機器である。
また、クライアント１〜３は、液晶表示装置などの視聴表示装置（不図示）に接続されており、ユーザは、コンテンツサーバ４から配信されクライアント１〜３の後述のコンテンツ再生部１５ａにより再生された録画コンテンツを上記視聴表示装置を介して視聴できる。
【００１９】
デジタル放送レコーダであるクライアント１，２は、制御部１１、チューナ部１２、記憶部１３、ホームネットワークインタフェース部１４、コンテンツ再生部１５を有する。
【００２０】
制御部１１は、クライアント１，２における各種処理を制御する。
チューナ部１２は、制御部１１の制御に従って、図示しないアンテナ等を介して受信したデジタル放送から特定の局のコンテンツを取得する。
記憶部１３は、各種情報を記憶するものであり、例えばフラッシュメモリを用いて構成することができる。記憶部１３には、例えば、チャンネル、コンテンツ名、コンテンツを特定するコンテンツ識別子や録画日時の情報等の、チューナ部１３を介して取得されたコンテンツに関わる情報すなわち録画コンテンツ情報が記憶される。さらに、記憶部１３には、当該クライアント１，２の識別情報が記憶される。識別情報とは、例えば、ＭＡＣアドレスである。
ホームネットワークインタフェース部１４は、ＬＡＮ５に接続するための機能部である。
コンテンツ再生部１５は、制御部１１の制御に従って、コンテンツサーバ４から取得した録画コンテンツを再生し、図示しない視聴表示装置へ送信し表示させるためのものである。コンテンツ再生部１５が有する録画コンテンツ情報表示画面生成部１５ａについては後述する。
【００２１】
これらの各部から成るクライアント１，２は、チューナ部１２を介して取得したコンテンツをコンテンツサーバ４に送信し記憶・録画させる。この送信の際、クライアント１，２は、当該録画コンテンツの録画コンテンツ情報に加えクライアント１，２の識別情報すなわち録画コンテンツの取得元のクライアントの識別情報を含ませて送信する。
【００２２】
カメラ機能を有する機器であるクライアント３は、クライアント１，２と異なり、撮影録画部３２を有しており、制御部３１の制御に従って、撮影録画部３２が有するカメラで撮影・取得した動画等のコンテンツを記憶部３３に録画する。記憶部３３は、例えばフラッシュメモリを用いて構成することができる。
また、クライアント３は、コンテンツを録画する際、コンテンツ名、コンテンツを特定するコンテンツ識別子や、録画日時の情報などを含む録画コンテンツ情報も記憶部３３に記憶する。なお、コンテンツ名等は、自動で、又は、図示しない操作表示部を用いて手動で設定される。さらに、記憶部３３には、当該クライアント３の識別情報が記憶される。識別情報とは、例えば、当該装置のＭＡＣアドレスであり、クライアント３がカメラ付きスマートフォンの場合はＷｉ−Ｆｉ  ＭＡＣアドレスである。
【００２３】
これらの各部から成るクライアント３は、記憶部３３に録画した録画コンテンツをホームネットワークインタフェース部１４を介してコンテンツサーバ４に送信し録画する。この送信の際、クライアント３は、当該録画コンテンツの録画コンテンツ情報に加えクライアント３の識別情報すなわちコンテンツの取得元のクライアントの識別情報を含ませて送信する。
【００２４】
コンテンツサーバ４は、上述のホームネットワークインタフェース部１４に加えて、制御部４１と記憶部４２を有する。
制御部４１は、コンテンツサーバ４における各種処理を制御する。
【００２５】
記憶部４２は、制御部４１の制御に従って、ホームネットワークインタフェース部１４を介してクライアント１〜３から受信したコンテンツを記憶・録画する。
また、記憶部４２は、録画コンテンツを記憶すると共に、合わせて送信される録画コンテンツ情報を記憶する録画コンテンツ情報記憶部４２ａを有する。録画コンテンツ情報には、上述のように、録画コンテンツのコンテンツ名、コンテンツ識別子、取得元のクライアントの識別情報等が含まれる。
【００２６】
後述のように、クライアント１〜３では、録画コンテンツ情報をコンテンツ毎にリスト表示する録画コンテンツ情報表示画面を生成する。
そのために、コンテンツサーバ４は、クライアント毎に、当該クライアントの識別情報と、上述の録画コンテンツ情報表示画面の表示色の情報と、が対応付けられた色識別テーブルを記憶する表示色情報記憶部４２ｂを有する。この色識別テーブルは、予めユーザにより作成される。
【００２７】
図２は、色識別テーブルの一例を示す図である。図２の色識別テーブルＴ１では、クライアント１〜３の識別情報である名称及びＭＡＣアドレスと、録画コンテンツ情報表示画面での表示色の情報が対応付けられている。例えば、名称が「クライアント２」であり、ＭＡＣアドレスが「００：００：００：００：００：０２」であるクライアント２を取得元とするコンテンツの録画コンテンツ情報については、録画コンテンツ情報表示画面において赤色を用いて表示することが色識別テーブルＴ１に記憶されている。なお、識別子「なし」とは従前と同様の表示色（例えば、無色）を用いることを意味する。
【００２８】
以上のような装置からなる録画コンテンツ情報表示画面生成システムＸにおいて、ユーザが、クライアント１〜３のいずれかに、録画コンテンツ情報表示画面の表示を指示すると、指示されたクライアントは、録画コンテンツ情報に加えて、以下の情報をコンテンツサーバ４から受信する。すなわち、表示色情報記憶部４２ｂに対応付けて記憶された、クライアントの識別情報と、当該識別情報を有するクライアントを取得元とするコンテンツの録画コンテンツ情報表示画面での表示色情報と、を受信する。対応付けて記憶されたこれらの情報と、録画コンテンツ情報とに基づいて、クライアントでは、録画コンテンツ情報表示画面生成部１５ａにおいて、録画コンテンツの取得元のクライアント毎に表示色が異なる録画コンテンツ情報表示画面を生成する。生成された録画コンテンツ情報表示画面は図示しない視聴表示装置に送信され表示される。クライアント１〜３のいずれでも同様に動作する。
【００２９】
図３は、図１の録画コンテンツ情報表示画面生成システムＸで生成する録画コンテンツ情報表示画面の一例を示す図である。
図の例の録画コンテンツ情報表示画面Ｐ１は、録画コンテンツ情報として録画日時の古いものから順に、録画コンテンツの取得元の名称、チャンネル、録画日時、番組内容を示すリストを表示するもので、取得元のクライアントが異なる毎に、録画コンテンツ情報を示す文字の背景色に違う色を用いている。
【００３０】
図４は、図１の録画コンテンツ情報表示画面生成システムＸで生成する録画コンテンツ情報表示画面の他の例を示す図である。
図の例の録画コンテンツ情報表示画面Ｐ２は、録画コンテンツ情報として録画日時の古いものから順に、チャンネル、録画日時、番組内容を録画コンテンツ毎に示すリストＬ１を表示する。該リストＬ１には、取得元に応じて異なる色のマークが付されている。録画コンテンツ情報表示画面Ｐ２は、上記リストＬ１の他に、上記マークのいずれの色がいずれの取得元を指し示すかのリストＬ２を併せて表示する。
【００３１】
本発明において、ユーザは、上述のような録画コンテンツ情報表示画面Ｐ１，Ｐ２から、録画コンテンツの取得に用いた特定のクライアントを容易に識別できるので、所望の録画コンテンツを容易に選択できる。
クライアント１〜３が互いに異なるコンテンツ（ビットレート／解像度／フレームレート／コーデックなどが互いに異なるコンテンツ）を常に扱う場合、圧縮率の相違によってダビングサイズが変わるので、クライアントの識別（＝録画コンテンツの識別）は、ダビングをする際の目安になる。
【００３２】
図５は、ユーザによる色識別テーブルの作成手順を説明するフローチャートである。
ユーザは、色識別テーブルの作成の際、図に示すように、ステップＳ１において、例えば、コンテンツサーバ４の図示しない操作部と表示部を用いて、クライアント１〜３いずれかのＭＡＣアドレス等の識別情報を入力する。続いて、ステップＳ２において、ユーザは、当該識別情報を有するクライアントを取得元とするコンテンツの録画コンテンツ情報表示画面における表示色（すなわち識別子）を入力する。
【００３３】
全てのクライアントについて入力が終了していない場合（ステップＳ３、ＮＯの場合）、ステップＳ１に戻り、終了している場合（ステップＳ３、ＹＥＳの場合）、ステップＳ４に進む。
ステップＳ４では、ユーザは、入力終了を示すキーなどを操作することにより、入力情報を色識別テーブルとしてコンテンツサーバ４の表示色情報記憶部４２ｂに記憶・保存させ、色識別テーブル作成操作は終了となる。
【００３４】
なお、図１の録画コンテンツ情報表示画面生成システムＸのＬＡＮ５には、ＤＬＮＡ（Digital Living Network Alliance）に準拠するネットワークが用いられることが想定される。ＤＬＮＡとは、後述のＵＰｎＰ（Universal Plug and Play）機能を中核に、映像や音声フォーマットの種類、機器間でやりとりする情報やルールをガイドラインとして策定したものである。また、ＵＰｎＰとは、ＩＰ（Internet Protocol）ネットワークに接続された様々なデバイスを認識／制御するためのプロトコルであるり、ＩＰアドレスは、ＤＨＣＰ（Dynamic Host Configuration Protocol）によて、各デバイスに割り当てられる。
【００３５】
ＤＬＮＡにおいて、「デバイスクラス」とはデバイスの基本的な機能を意味し、「デバイスケイパビリティ」はデバイスクラスに実装される追加機能コンポーネントである。
図１の録画コンテンツ情報表示画面生成システムＸのコンテンツサーバ４は、「ＤＭＳ（Digital Media Sever）」を有する。ＤＭＳとは、コンテンツを持っており、そのコンテンツリストをホームネットワーク上に提供し、コンテンツをストリーミングで提供できるデバイスクラスである。
【００３６】
ＤＭＳが所有しているコンテンツの情報は、ＵＰｎＰ ＣＤＳ（Content Directory Service）により配信される。ＵＰｎＰ  ＣＤＳとは、ＤＭＳが所有しているコンテンツの情報を、ホームネットワークに提供するＤＬＮＡのサービスであり、コンテンツの名称／録画日時や、コーデック情報、プロトコル情報などのメタデータをコンテンツに付加することができ、それを読み出すための＜Ｂｒｏｗｓｅ＞アクションなどが用意されている。ＵＰｎＰ  ＣＤＳには録画日時等のタグは含まれるが、コンテンツの取得元を示すタグは存在しないので、録画コンテンツ情報表示画面生成システムＸではＤＬＮＡ規格を拡張して、取得元の識別情報の配信などを行なう。言い換えれば、録画コンテンツ情報表示画面生成システム１では、コンテンツサーバ４に設定した色識別テーブルを録画コンテンツの一部として扱うことで、クライアント１〜３それぞれで共有できるようになっている。
【００３７】
以下、図６及び図７を用いて図１の録画コンテンツ情報表示画面生成システム１において、ＤＬＮＡ規格を拡張して、クライアント１からコンテンツサーバ４にコンテンツの取得元のクライアントの識別情報を含む録画コンテンツ情報を送信する処理と、クライアントの識別情報及び該クライアントを取得元とするコンテンツの表示色情報をクライアント１が受信する処理を説明する。
【００３８】
なお、クライアント１〜３はそれぞれ「ＤＭＵ（Digital Media Uploader）」と「＋ＵＰ＋（Upload Controller）」を有している。ＤＭＵは、自身が持つコンテンツを、アップロード機能を使ってＤＭＳへ送ることが出来るデバイスクラスであり、＋ＵＰ＋は、アップロード機能を使って、ＤＭＳにコンテンツを送るデバイスケイパビリティである。
【００３９】
また、本明細書では、以下の条件（１），（２）を前提とする。
条件（１）：ＤＭＳ、＋ＵＰ＋／ＤＭＵの各ＩＰアドレスがＤＨＣＰまたはＡｕｔｏ−ＩＰによって確定されている。
条件（２）：ＤＭＳ、＋ＵＰ＋／ＤＭＵが、「デバイス検索」のマルチキャスト・リクエストである＜Ｍ−Ｓｅａｒｃｈ＞アクションなどの＜Ｒｅｓｐｏｎｓｅ＞から、ネットワークに接続されているＵＰｎＰデバイスを知り、デバイスにアクセスするための、ＵＲＩ（ＩＰアドレスｅｔｃ…）を取得しているものとする。
なお、クライアント１〜３のＭＡＣアドレスは、それぞれ順に、「００：００：００：００：００：０１」、「００：００：００：００：００：０２」、「００：００：００：００：００：０３」であり、コンテンツサーバ４のＩＰアドレスは、「１９２．１６８．０．０」であり、用いられるポート番号は９０００である。
【００４０】
このような前提の下、クライアント１は、コンテンツのコンテンツサーバ４への録画がユーザから指示されると、図６に示すように、＜Ｇｅｔ  Ｄｅｖｉｃｅ  Ｄｅｓｃｒｉｐｔｉｏｎ＞アクションをコンテンツサーバ４に発行する（ステップＳ１１）。
それに対し、コンテンツサーバ４は、「Ｄｅｖｉｃｅ  Ｄｅｓｃｒｉｐｔｉｏｎ」というコンテンツサーバ４の詳細情報（デバイス名等）、Ｓｅｒｖｉｃｅ  ＤｅｓｃｒｉｐｔｉｏｎのＵＲＩをクライアント１に通知する（ステップＳ１２）。
【００４１】
次に、クライアント１は、＜Ｇｅｔ  Ｓｅｒｖｉｃｅ  Ｄｅｓｃｒｉｐｔｉｏｎ＞アクションをコンテンツサーバ４に発行する（ステップＳ１３）。
それに対し、コンテンツサーバ４は、「Ｓｅｒｖｉｃｅ  Ｄｅｓｃｒｉｐｔｉｏｎ」という制御の詳細情報（コンテンツサーバ４の制御項目／状態通知等）をクライアント１に通知する（ステップＳ１４）。
【００４２】
そして、クライアント１は、新しいオブジェクトコンテナーの作成を指示する＜Ｃｒｅａｔ  Ｏｂｊｅｃｔ＞アクションをコンテンツサーバ４に発行する（ステップＳ１５）。
それに対し、コンテンツサーバ４は、コンテンツのアップロード先情報（「ｒｅｓ  ｉｍｏｒｔＵｒｉ」）を含む情報をクライアント１に通知する（ステップＳ１６）。なお、「ｒｅｓ」プロパティは、戻り値、「ｉｍｐｏｒｔＵｒｉ」アトリビュートは、リソースアップデートのためのｕｒｉロケータである。なお、リソースとは、「デバイス」または「サービス」のことであり、また、「デバイス」とは「ＤＬＮＡの機器」を意味し、「サービス」とは「デバイスの持つ機能」を意味する。
【００４３】
次いで、クライアント１は、＜ＰＯＳＴ＞アクションをコンテンツサーバ４に発行し、これから送信する録画コンテンツの取得元のクライアントの情報を含む録画コンテンツ情報をコンテンツサーバ４に送信し、コンテンツサーバ４へコンテンツのアップロードを開始する（ステップＳ１７）。＜ＰＯＳＴ＞アクション中の「ｘｍｌｎｓ：ｓｈａｒｐ＝“ｕｒｎ：ｓｃｈｅｍａｓ−ｓｈａｒｐ−ｃｏｍ：ｓｈａｒｐ”」は、「名前空間ｓｈａｒｐは、ｓｈａｒｐ−ｃｏｍドメインで定めたリソースの概要名」を意味する。また、「ｓｈａｒｐ：ＳｏｕｒｃｅＵｒｉ」というプレフィックス（接頭辞）に「ｓｈａｒｐ」の付いた「ＳｏｕｒｃｅＵｒｉ」アトリビュートは、本録画コンテンツ情報表示画面生成システム１独自の引数であり、コンテンツの取得元のクライアント１のＭＡＣアドレスを設定する。
そして、コンテンツサーバ４が録画コンテンツ情報を含むコンテンツのアップロード処理を完了すると、クライアント１へ正常応答メッセージを通知する（ステップＳ１８）。
【００４４】
クライアント２，３においても、同様な処理が行われる。ただし、クライアント１では、ステップＳ１６において「ｉｍｐｏｒｔＵｒｉ」内のファイル名（フォルダ名）を示すアトリビュートが「ＡＶ−００１」であるのに対し、クライアント２，３ではそれぞれ、例えば、「ＡＶ−００２」、「ＡＶ−００３」となる。また、クライアント１では、ステップＳ１７においてコンテンツサーバ４へ送信される、コンテンツの取得元のクライアント１のＭＡＣアドレスを設定する「ＳｏｕｒｃｅＵｒｉ」アトリビュートが「００：００：００：００：００：０１」であるのに対し、クライアント２，３ではそれぞれ、例えば、「００：００：００：００：００：０２」、「００：００：００：００：００：０３」となる。さらに、クライアント１では、ステップＳ１７においてコンテンツサーバ４に送信するコンテンツの内容は「朝のニュース」であるのに対し、クライアント２，３ではそれぞれ、例えば、「野球中継」、「子供の運動会」となる。
【００４５】
一方、図７に示すように、録画コンテンツ情報表示画面の生成がクライアント１に対して指示されると、クライアント１は録画コンテンツ情報の取得を要求する＜Ｂｒｏｗｓｅ＞アクションをコンテンツサーバ４に発行する（ステップＳ２１）。
それに対し、コンテンツサーバ４は、＜Ｒｅｓｐｏｎｓｅ＞をクライアント１に送信する（ステップＳ２２）。＜Ｒｅｓｐｏｎｓｅ＞には、表示色情報記憶部４２ｂに対応付けて記憶された、クライアント毎に、識別情報（「ｓｈａｒｐ：ＴａｂｌｅＵｒｉ」）としてのＭＡＣアドレスと、表示色情報（「ｓｈａｒｐ：ＴａｂｌｅＣｏｌｏｒ」）と、が含まれ、また、コンテンツ（「ｉｔｅｍ  ｉｄ」）毎に取得元情報（「ｓｈａｒｐ：ＳｏｕｒｃｅＵｒｉ」）としてのＭＡＣアドレスが含まれる。
【００４６】
クライアント１では、クライアント毎に対応付けて記憶されていた識別情報及び表示色情報と、コンテンツ毎の取得元情報とに基づいて、取得元に応じて色分けされた録画コンテンツ情報表示画面を生成する。
【００４７】
なお、＜Ｂｒｏｗｓｅ＞アクションは、録画コンテンツ情報を読み出し、録画コンテンツのタイトル／録画時間／サムネールや、オブジェクトコンテナーのＵＲＩを取得するためのものである。また、録画コンテンツ情報表示画面に表示する「チャンネル／録画日時／番組内容」は、＜Ｂｒｏｗｓｅ＞アクションの＜Ｒｅｓｐｏｎｓｅ＞のタグから参照することができ、具体的には、「チャンネル」については、ｕｐｎｐ：ｃｈａｎｎｎｅｌＮａｍｅの値から参照でき、「録画日時」及び「番組内容」についてはそれぞれｄｃ：ｄａｔｅの値及びｄｃ：ｔｉｔｌｅの値から参照することができる。
【００４８】
また、「ｉｔｅｍ  ｉｄ」アトリビュートは、アイテムＩＤを識別するための文字列である。「ＴＢＬ−００１」、「ＴＢＬ−００２」、「ＴＢＬ−００３」はそれぞれ、『色識別テーブル／Ｎｏ−００１』、『色識別テーブル／Ｎｏ−００２』、『色識別テーブル／Ｎｏ−００３』を意味する本録画コンテンツ情報表示画面生成システム１独自のユニーク名である。
【００４９】
「ｐｒｏｔｏｃｏｌＩｎｆｏ」アトリビュートは、リソース送信のストリーミングか転送プロトコルを識別するための文字列である。
「ｓｈａｒｐ：ＴａｂｌｅＵｒｉ」アトリビュートは、本録画コンテンツ情報表示画面生成システム１独自の引数であり、「００：００：００：００：００：０１」、「００：００：００：００：００：０２」、「００：００：００：００：００：０３」はそれぞれクライアント１、２、３のＭＡＣアドレスである。
「ｓｈａｒｐ：ＴａｂｌｅＣｏｌｏｒ」アトリビュートは、録画コンテンツ情報表示画面生成システム１独自の引数であり、「空欄」は『従前の表示色を用いること』を意味し、「Ｒｅｄ」は、『表示色として赤を用いること』を意味し、「Ｇｒｅｅｎ」は『表示色として緑を用いること』を意味する。
【００５０】
また、「ＡＶ−００１」、「ＡＶ−００２」、「ＡＶ−００３」はそれぞれ、『録画コンテンツ／Ｎｏ−００１』、『録画コンテンツ／Ｎｏ−００２』、『録画コンテンツル／Ｎｏ−００３』を意味する本録画コンテンツ情報表示画面生成システム１独自のユニーク名である。
「ｓｈａｒｐ：ＳｏｕｒｃｅＵｒｉ」アトリビュートは、本録画コンテンツ情報表示画面生成システム１独自の引数であり、「００：００：００：００：００：０１」、「００：００：００：００：００：０２」、「００：００：００：００：００：０３」はそれぞれ取得元のクライアントのＭＡＣアドレスである。
【００５１】
以上の例では、クライアントを識別する情報として、ＭＡＣアドレスを使用したが、ＵＵＩＤ（Universally Unique Identifier）や、ＩＰアドレスでも構わない。
ＵＵＩＤは、＜Ｍ−Ｓｅａｒｃｈ＞アクションの＜Ｒｅｓｐｏｎｓｅ＞、ＵＳＮ＜Ｕｎｉｑｕｅ  Ｓｅｒｖｉｃｅ  Ｎａｍｅ＞ヘッダの「ＵＳＮ：ｕｕｉｄ：ｄｅｖｉｃｅ−ＵＵＩＤ・・・」から取得することができる。
ＩＰアドレスを用いる場合は、ＤＨＣＰのＡｕｔｏ−ＩＰでアドレスの自動割当てを行う場合、一意性がないため、固定ＩＰが好適である。
なお、以上の例では、色識別テーブルは、コンテンツサーバ４を介して作成し保存する形態であったが、クライアント１〜３を介して作成しコンテンツサーバ４へ転送する形態も可能である。
【符号の説明】
【００５２】
Ｘ…録画コンテンツ情報表示画面生成システム、１〜３…クライアント、４…コンテンツサーバ、１５ａ…録画コンテンツ情報表示画面生成部、４２ａ…録画コンテンツ情報記憶部、４２ｂ…表示色情報記憶部。
【図１】
2013187633.tif 000003
【図２】
2013187633.tif 000004
【図３】
2013187633.tif 000005
【図４】
2013187633.tif 000006
【図５】
2013187633.tif 000007
【図６】
2013187633.tif 000008
【図７】
2013187633.tif 000009
【図８】
2013187633.tif 000010